(57)【要約】      （修正有）【課題】  バッグ等の肩当て体に対しての刺繍等の表示加工をする手間を省くとともに、製作コストを低減する。【解決手段】  可撓性の肩当て体Ｐの外面側、又は、これに挿通又は支着されたストラップ１の途中部分の外面側に、文字や図柄等の表示面４ａを備えた可撓性の表示体４を脱着自在に取り付けるとともに、表示体４の取付け手段を肩当て体と重合する部位に配設し、文字や図柄等の刺繍等の加工を施す場合、表示体４を取り外して加工を施すことができる様にする。【選択図】        図４
2005052376.tif 000002
【特許請求の範囲】
【請求項１】
可撓性の肩当て体の外面側に、文字や図柄等の表示面を備えた可撓性の表示体が脱着自在に取り付けられている肩当て体。
【請求項２】
前記表示体を肩当て体に取付けるための取付け手段が、肩当て体と重合する部位に配設されている請求項１記載の肩当て体。
【請求項３】
前記肩当て体の外面側、又は、これに挿通又は止着されたストラップの途中部分の外面側に、前記表示体が脱着自在に取り付けられているとともに、
前記表示体の取付け手段が、肩当て体と重合する部位に配設されている肩掛け具。
【請求項４】
前記肩当て体が、クッション部材を内装する可撓性の肩当て本体と、これの外面との間でストラップ挿通孔を形成する可撓性の掛止体とから構成されているとともに、
前記掛止体の外面側に配置された表示体の長手方向両側部が、掛止体の端縁を通してストラップ挿通孔内に折り込み自在に構成されている請求項２又は３記載の肩掛け具。
【請求項５】
前記取付け手段が、ストラップ挿通孔内に折り込まれた表示体の両端部と掛止体との相対向する部位に設けられている請求項４記載の肩掛け具。
【請求項６】
前記取付け手段が、ストラップ挿通孔内に折り込まれた表示体の両端部と掛止体との相対向する部位に、その相対向方向から脱着自在な雌雄のホックを取付けて構成されている請求項３〜５のいずれか１項に記載の肩掛け具。
【発明の詳細な説明】
【技術分野】
【０００１】
本発明は、バッグやクーラーボックス等を肩に掛ける場合に用いる肩当て体、及び、肩掛け具に関する。
【背景技術】
【０００２】
一般に、野球、サッカー、バスケットボール等の競技に参加する選手の選手名や所属チーム名等の各種バッグや各種ケースにおける表示は、各選手が所有するバッグやケースの肩掛け具の肩当て体の外面側の表示面に文字や図形を刺繍等の適宜手段の加工を施して表示することがある。
【０００３】
そして、外面側に表示面を備えた掛止体とクッション部材を内包してあるクッション部材とを縫着して製作される肩当て体に表示する場合、メーカーはそれぞれ選手や所属チームからの注文に応じて、各種バッグや各種ケースの肩当て体の掛止体の表示面に文字や図形の刺繍等を施したのち、掛止体とクッション部材を縫着成形していた。
【発明の開示】
【発明が解決しようとする課題】
【０００４】
しかしながら、上述の肩掛け具の肩当て体だと、既製の肩当て体に対し刺繍等の加工を施すには、先ず肩当て体の縫着を解き、掛止体に刺繍を施したのち、再び掛止体とクッション部材とを縫着するといった煩雑な加工工程を採る必要がある。また、選手や所属チームからの注文毎に肩当て体を製作すると、大量製作できないためその製作コストが高騰化してしまう。
【０００５】
従って、いずれにしても、従来のものでは、その表示面に刺繍等の加工をするのに手間がかかり、その製作コストも高騰化する。
【０００６】
この実情に鑑み、本発明の主たる課題は、合理的な改良により上記問題を効果的に解消する点にある。
【課題を解決するための手段】
【０００７】
本発明の請求項１による肩当て体の特徴構成は、
可撓性の肩当て体の外面側に、文字や図柄等の表示面を備えた可撓性の表示体が脱着自在に取り付けられている点にある。
【０００８】
上記特徴構成によれば、肩当て体に、肩当て体とは別の部材からなる表示体が肩当て体の外面側に脱着自在に取り付けられているので、肩当て体に文字や図柄等の刺繍等の加工を施す場合、表示体を取り外して表示体に表示加工を施すことができ、よって、一度、既製の肩当て体の縫着を解いたりする煩雑な加工工程や効率の悪い注文製作をする必要がない。
従って、加工や製作の手間を要さず、そのコストも刺繍等の表示加工料のみで済むので、選手や所属チームといった購買者（使用者）の経費の面も効果的に削減することができる。
【０００９】
本発明の請求項２による肩掛け体の特徴構成は、
前記表示体を肩当て体に取付けるための取付け手段が、肩当て体と重合する部位に配設されている点にある。
【００１０】
上記の特徴構成によれば、肩掛け体に表示体を取付けるための取付け手段と使用者の肩との間に肩当て体を介在させてあるので、取付け手段が使用者の肩に対し直に接触せず、よって、使用者は肩に違和感を覚えることなく使用することができる。
【００１１】
本発明の請求項３による肩掛け具の特徴構成は、
前記肩当て体の外面側、又は、これに挿通又は止着されたストラップの途中部分の外面側に、前記表示体が脱着自在に取り付けられているとともに、
前記表示体の取付け手段が、肩当て体と重合する部位に配設されている点にある。
【００１２】
上記の特徴構成によれば、肩当て体に、肩当て体とは別の部材からなる表示体が肩当て体の外面側に脱着自在に取り付けられているので、肩当て体に文字や図柄等の刺繍等の加工を施す場合、表示体を取り外して表示体に表示加工を施すことができ、よって、一度、既製の肩当て体の縫着を解いたりする煩雑な加工工程や効率の悪い注文製作をする必要がない。
従って、加工や製作の手間も時間も要さず、そのコストも刺繍等の表示加工料のみで済むので、選手や所属チームといった購買者（使用者）の経費の面も効果的に削減することができる。
さらに、表示体の取付け手段と使用者の肩との間に肩当て体を介在させてあるので、取付け手段が使用者の肩に対し直に接触せず、よって、使用者は肩に違和感を覚えることなく使用することができる。
【００１３】
本発明の請求項４による肩掛け具の特徴構成は、
前記肩当て体が、クッション部材を内装する可撓性の肩当て本体と、これの外面との間でストラップ挿通孔を形成する可撓性の掛止体とから構成されているとともに、
前記掛止体の外面側に配置された表示体の長手方向両側部が、掛止体の端縁を通してストラップ挿通孔内に折り込み自在に構成されている点にある。
【００１４】
上記の特徴構成によれば、表示体の長手方向両側部が、肩当て本体と掛止体との間に折り込む形態で取付けられるので、別部材である表示体と肩当て体とが一体的に形成されている雰囲気を醸し出している。
【００１５】
本発明の請求項５による肩掛け具の特徴構成は、
前記取付け手段が、ストラップ挿通孔内に折り込まれた表示体の両端部と掛止体との相対向する部位に設けられている点にある。
【００１６】
上記の特徴構成によれば、表示体が肩当て体の外面側に引っ張られても、容易に外れることがなく、確実にその装着を維持させることができる。
また、取付け手段がストラップ挿通孔内に設けられているため、表示体を取付けていない状態であっても、掛止体側の取付け手段を外部に露出することなく、表示体を取付けたときと同様の外見を保つことができる。
【００１７】
本発明の請求項６による肩掛け具の特徴構成は、
前記取付け手段が、ストラップ挿通孔内に折り込まれた表示体の両端部と掛止体との相対向する部位に、その相対向方向から脱着自在な雌雄のホックを取付けて構成されている点にある。
【００１８】
上記の特徴構成によれば、雌雄のホックを外すには肩当て体の内面側に引く力が必要であるので、肩当て体が外面側に引っ張られても雌雄のホックの係合が外れることなく、一
層確実にその装着を維持することができる。
【発明を実施するための最良の形態】
【００１９】
図１〜図７は本発明の実施形態を示し、肩に掛けて持ち運びできるバッグＢの肩掛け用ストラップ１において、肩にかかるバッグＢの荷重、及び、その荷重を原因とするストラップ１の肩への締め付けや食い込み等を緩和する肩当て体Ｐをストラップ１に沿って移動可能な状態で設けてあって、その肩当て体Ｐの外面側に第２表示面４ａを備えた表示体４が装着される。
【００２０】
肩当て体Ｐは、ウレタン製のクッション部材２ａを内装する合成皮革製の肩当て本体２と、肩当て本体２よりも長手方向で短く形成され、外面側に第１表示面３ａを備えた合成皮革製の掛止体３とから構成されていて、肩当て本体２と掛止体３とを掛止体３の長辺側縁で縫着することにより、肩当て本体２の外面と掛止体３の間にストラップ挿通孔５を形成する。
【００２１】
掛止体３の長手方向両端近傍部には、それの内面側（即ち、ストラップ挿通孔５に面する側）に係合凸部６ａが位置する状態で雄ホック６が貫設されているとともに、掛止体３の外面側に露出する雄ホック６の基部には、これを覆うホックカバー（頭）６ｂが嵌着されている。
【００２２】
第２表示面４ａを備えた表示体４には、その長手方向両端近傍部に、掛止体３の雄ホック６と脱着自在に係合する雌ホック７が、内面側に凹陥した係合凹部７ａが位置する状態で貫設されてあるとともに、表示体４の外面側に露出する雌ホック７の基部には、これを覆うホックカバー（頭）７ｂが嵌着されている。
【００２３】
そして、雌ホック７の係合凹部７ａに比して係合凸部６ａの表面が滑らかに形成されている雄ホック６を掛止体３側に設けたことにより、ストラップ１の繊維が引っ掛かったりすることなく、ストラップ挿通孔５に通してストラップ１に沿って肩当て体Ｐがスムーズに移動できる。
【００２４】
表示体４は、掛止体３の外面側から掛止体３の第１表示面３ａを覆う形態で、両端部をストラップ挿通孔５内に折り込み、掛止体３の雄ホック６の係合凸部６ａと表示体４の雌ホック７の係合凹部７ａとをストラップ挿通孔５内で係合させて、肩当て体Ｐに装着する。
従って、掛止体３の第１表示面３ａにメーカーがその標章等を刺繍Ｓ等で表示加工してあっても、表示体４を装着させることによって、第１表示面３ａの刺繍Ｓを覆い隠すことができる。
【００２５】
また、表示体４を肩当て体Ｐに装着するための取付け手段Ａである雄ホック６及び雌ホック７が、肩当て体Ｐのストラップ挿通孔５内で、かつ、掛止体３の内面（第１表示体３ａの裏面）で係合するので、人為操作以外では容易に係合が解除されることがなく、確実に表示体４を肩当て体Ｐに装着することができる。
【００２６】
更に、雄ホック６が、肩当て本体２ではなく掛止体３に設けられていることから、取付け手段Ａである雄ホック６及び雌ホック７が肩当て体Ｐに重合し、雄ホック６及び雌ホック７と肩との間にクッション部材２ａを内装する肩当て本体２を介在させた形態になるので、使用時に取付け手段Ａが肩に直に当たることを防ぎ、使用者が雌雄ホック６，７の異物感を覚えることがない。
【００２７】
上記のように構成することで、第２表示面４ａを備えた表示体４が別途取り外し可能に設けられ、よって、第２表示面４ａが未加工状態の表示体４を付属品としてバッグＢを販売し、販売後に使用者の表示加工の注文があった際、肩当て体Ｐの掛止体３の第１表示面３ａでなく、表示体４の第２表示面４ａに刺繍Ｓで表示加工することで、煩雑な加工工程や効率の悪い注文製作を要せず、かつ、利用者の経費も削減することができる。
〔その他の実施形態〕
【００２８】
本発明の実施形態としては、上述の実施形態に限られるものではなく、掛止体３を長手方向において挟んだ状態で、かつ、ストラップ１が長手方向に摺動しても、取り付けた表示体４の長手方向両端部が肩当て本体２の長手方向両端部から突出しない間隔でストラップ１の途中部分に設けた雄ホック６（又は雌ホック７）と、表示体４の長手方向両端部に設けられた雌ホック７（又は雄ホック６）とを係合させる構成にしたもの（図８参照）を採用してもよい。
【００２９】
また、肩当て体Ｐの掛止体３の長手方向両端部に設けた雄ホック６（又は雌ホック７）と、長手方向において掛止体３に取り付けた時に掛止体３の両端から突出しない長さを有する表示体４の長手方向両端部に設けられた雌ホック７（又は雄ホック６）とを係合させる構成にしたもの（図９参照）など、肩当て本体２と掛止体３との間に表示体４の長手方向両端部を折り込まない構成のもの等、その他種々の構成であってもよい。
【００３０】
これら図８及び図９の構成において、表示体４を肩当て体Ｐに装着しない場合は、雄ホック６又は雌ホック７にホックカバー（頭）６ｂ，７ｂを装着することで、体裁よくすることができる。
【００３１】
そして、肩当て体Ｐに表示体４を取付けるための取付け手段Ａとして、雌雄のホック７，６を採用し、肩当て体Ｐ側に雄ホック６を設け、表示体４に雌ホック７を設ける構成にしたが、この構成に限るものではなく、雌雄ホック７，６は、肩当て体Ｐ側に雌ホック７を設け、表示体４側に雄ホック６を設けたものであってもよく、また、取付け手段Ａは、マジックテープなど種々の取付け手段Ａを採用してもよい。
【００３２】
上述の実施形態では、ストラップ１を肩当て体Ｐの肩当て本体２と掛止体３とによって形成されるストラップ挿通孔５に挿通させる構成のものを採用してあるが、図１０に示すように、ストラップ１をリベットＲ等により肩当て本体２に止着させるとともに、肩当て本体２と、外面側に表示面８ａを備え、かつ、内面側に雌ホック７（又は雄ホック６）を備えた表示部材８とを長辺側縁で縫着し、それら肩当て本体２と表示部材８との縫着によって形成された表示体挿入部９に、長手方向両端部に雄ホック６（又は雌ホック７）を備えた表示体４の両端部を折り込んで、表示体４雄ホック６と表示部材８の雌ホック７とを嵌合させて表示体４を肩当て体Ｐに取り付ける構成にしてもよい。
【００３３】
上述の実施形態では、肩に掛けて持ち運びするものとしてバッグＢを示したが、肩に掛けて持ち運びするものであれば、クーラーボックス等種々のものであってよい。
【００３４】
上述の実施形態では、肩当て体Ｐを構成する肩当て本体２と掛止体３とを合成皮革で製作してあるが、可撓性のある材料（例えば天然皮革や布等）で製作したものであれば種々の材料で製作してもよい。
【００３５】
上述の実施形態では、文字や図柄等を第１及び第２表示面３ａ，４ａに表示するための表示手段として刺繍Ｓを施していたが、その他種々の表示手段を用いて、表示加工してもよい。
【図面の簡単な説明】
【００３６】
【図１】本発明の実施形態を示すバッグの全体図
【図２】表示体の正面図
【図３】肩当て体の正面図
【図４】肩当て体と表示体とを表す斜視図
【図５】肩当て体に表示体を装着した正面図
【図６】未係合状態にある取付け手段を表す肩当て体及び表示体の断面図
【図７】係合状態にある取付け手段を表す肩当て体及び表示体の断面図
【図８】本発明の別実施形態を示す斜視図
【図９】本発明の別実施形態を示す斜視図
【図１０】本発明の別実施形態を示す斜視図
【符号の説明】
【００３７】
Ａ    取付け手段
Ｂ    バッグ
Ｐ    肩当て体
Ｓ    表示手段
１    ストラップ
２    肩当て本体
２ａ    クッション部材
３    掛止体
４    表示体
４ａ    表示面
５    ストラップ挿通孔
６    雄ホック
７    雌ホック
【図１】
2005052376.tif 000003
【図２】
2005052376.tif 000004
【図３】
2005052376.tif 000005
【図４】
2005052376.tif 000006
【図５】
2005052376.tif 000007
【図６】
2005052376.tif 000008
【図７】
2005052376.tif 000009
【図８】
2005052376.tif 000010
【図９】
2005052376.tif 000011
【図１０】
2005052376.tif 000012